【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
水性洗濯プロセスにおける、汚れ再付着防止剤および汚れ剥離剤としての1つ以上の櫛型コポリマーまたはブロックコポリマーの使用であって、
櫛型コポリマーまたはブロックコポリマーが、第1の工程において、
a)アクリル酸またはメタクリル酸のC1〜C10アルキルエステルと任意選択により1つ以上のエステル結合を持たないモノマーを、制御されたフリーラジカル重合させ；第2の工程において、
b)第一級アルコールまたは第二級アルコールとのポリマー類似エステル交換反応で変性され、櫛型コポリマーまたはブロックコポリマーが形成されることによって調製され、
櫛型コポリマーまたはブロックコポリマーが、工程a)において、
n-ブチル-アクリレートおよび任意選択によりエステル結合を持たない1つ以上のモノマーから調製され；
エステル結合を持たないモノマーが、4-ビニル-ピリジン、2-ビニル-ピリジン、ビニル-イミダゾール、ビニル-ピロリドン、ジメチルアクリルアミド、3-ジメチルアミノプロピルメタクリルアミド、スチレン、α-メチルスチレン、p-メチルスチレンまたはp-tert-ブチル-スチレンおよびアクリロニトリルからなる群から選択され；
工程b)の第一級アルコールが、式(A)RA-[O-CH2-CH2-]n-OH(A)のエトキシレート（式中、RAは1〜22個の炭素原子を有する飽和または不飽和の、直鎖もしくは分岐鎖アルキル、または24個までの炭素原子を有するアルキルアリールもしくはジアルキルアリールであり、nは1から150である）;
式(B)
【化１】
2014532770.tif 000001
のポリジメチルシリコーンオリゴマー（式中、RBはC1〜C18アルキル、フェニルまたはC7〜C15アラルキルであって、nは1から50であり、R'は1から20個の炭素原子を有する連結基である）;
部分的にまたは完全にフッ素化された第一級アルコール;
C8からC60のアルキル直鎖もしくは分岐鎖第一級アルコールまたは第二級アルコール;
2,2-ジメチル-4-ヒドロキシメチル-1,3-ジオキソランのラセミ混合物;
N,N,N'-トリメチルアミノエチルエタノールアミン、4-ヒドロキシエチル-ピリジンおよびN-ヒドロキシエチルモルホリンなどの少なくとも1つの第三級アミン基を含有する第一級アルコールまたは第二級アルコール；または
分子量750から2,500g/molの、ポリカプロラクトンα-セチルオキシ、-ω-ヒドロキシなどの鎖が少なくとも1つのエステル基によって中断される第一級アルコールである、上記使用。
【請求項２】
櫛形またはブロックコポリマーが、1.0から2.5の多分散性、PDを有する、請求項１に記載の使用。
【請求項３】
櫛形またはブロックコポリマーが、両親媒性特性を有する、請求項１または２に記載の使用。
【請求項４】
水性洗濯プロセスの間に、布地への汚れ再付着を防ぐ、および布地から汚れを剥離する方法であって、櫛型コポリマーまたはブロックコポリマーを適用することを含み、
櫛型コポリマーまたはブロックコポリマーが、第1の工程において、
a)アクリル酸またはメタクリル酸のC1〜C10アルキルエステルと任意選択により1つ以上のエステル結合を持たないモノマーを、制御されたフリーラジカル重合させ；第2の工程において、
b)第一級アルコールまたは第二級アルコールとのポリマー類似エステル交換反応で変性され、櫛型コポリマーまたはブロックコポリマーが形成されることによって調製され、
櫛型コポリマーまたはブロックコポリマーが、工程a)において、
n-ブチル-アクリレートおよび任意選択によりエステル結合を持たない1つ以上のモノマーから調製され；
エステル結合を持たないモノマーが、4-ビニル-ピリジン、2-ビニル-ピリジン、ビニル-イミダゾール、ビニル-ピロリドン、ジメチルアクリルアミド、3-ジメチルアミノプロピルメタクリルアミド、スチレン、α-メチルスチレン、p-メチルスチレンまたはp-tert-ブチル-スチレンおよびアクリロニトリルからなる群から選択され；
工程b)の第一級アルコールが、式(A)RA-[O-CH2-CH2-]n-OH(A)のエトキシレート（式中、RAは1〜22個の炭素原子を有する飽和または不飽和の、直鎖もしくは分岐鎖アルキル、または24個までの炭素原子を有するアルキルアリールもしくはジアルキルアリールであり、nは1から150である）;
式(B)
【化２】
2014532770.tif 000002
のポリジメチルシリコーンオリゴマー（式中、RBはC1〜C18アルキル、フェニルまたはC7〜C15アラルキルであって、nは1から50であり、R'は1から20個の炭素原子を有する連結基である）;
部分的にまたは完全にフッ素化された第一級アルコール;
C8からC60のアルキル直鎖もしくは分岐鎖第一級アルコールまたは第二級アルコール;
2,2-ジメチル-4-ヒドロキシメチル-1,3-ジオキソランのラセミ混合物;
N,N,N'-トリメチルアミノエチルエタノールアミン、4-ヒドロキシエチル-ピリジンおよびN-ヒドロキシエチルモルホリンなどの少なくとも1つの第三級アミン基を含有する第一級アルコールまたは第二級アルコール；または
分子量750から2,500g/molの、ポリカプロラクトンα-セチルオキシ、-ω-ヒドロキシなどの鎖が少なくとも1つのエステル基によって中断される第一級アルコールである、上記方法。
【請求項５】
I)組成物の総重量を基準として1から50重量%の、少なくとも1つの界面活性剤であるA)、
II)組成物の総重量を基準として0から70重量%の、少なくとも1つのビルダー物質であるB)、
III)組成物の総重量を基準として0〜30重量%の、少なくとも1つの過酸化物および/または1つの過酸化物形成物質であるC)、
IV)組成物の総重量を基準として0.05から10重量%、好ましくは0.05から5重量%、より好ましくは0.1から4重量%の、上に定義される少なくとも1つの櫛型コポリマーまたはブロックコポリマーであるD)、
V)組成物の総重量を基準として0〜60重量%の、少なくとも1つのさらなる添加剤であるE)、および
VI)組成物の総重量を基準として0〜90重量%の、水F)
を含む洗剤組成物。
【手続補正２】
【補正対象書類名】明細書
【補正対象項目名】００４２
【補正方法】変更
【補正の内容】
【００４２】
のポリジメチルシリコーンオリゴマーであって、ただしRBはC1〜C18アルキル、フェニルまたはC7〜C15アラルキルであって、nは1から50であり、R'は1から20個の炭素原子を有する連結基であるか;
部分的にまたは完全にフッ素化された第一級アルコールであるか;
C8からC60のアルキル直鎖もしくは分岐鎖第一級アルコールまたは第二級アルコールであるか;
2,2-ジメチル-4-ヒドロキシメチル-1,3-ジオキソランのラセミ混合物であるか;
N,N,N'-トリメチルアミノエチルエタノールアミン、4-ヒドロキシエチル-ピリジンおよびN-ヒドロキシエチルモルホリンなどの少なくとも1つの第三級アミン基を含有する第一級アルコールまたは第二級アルコールであるか;または
分子量750から2,500g/molの、ポリカプロラクトンα-セチルオキシ、-ω-ヒドロキシなどの鎖が少なくとも1つのエステル基によって中断される第一級アルコールである。
【手続補正３】
【補正対象書類名】明細書
【補正対象項目名】００４５
【補正方法】変更
【補正の内容】
【００４５】
好ましくは、工程b)の第一級アルコールは、式(A): RA-[O-CH2-CH2-]n-OH(A)のエトキシレートであって、ただしRAは、1〜22個の炭素原子を有する飽和または不飽和の、直鎖もしくは分岐鎖アルキルであって、nは1から150であるか;
2,2-ジメチル-4-ヒドロキシメチル-1,3-ジオキソランのラセミ混合物であるか;
N,N,N'-トリメチルアミノエチルエタノールアミンであるか;
N-ヒドロキシエチルモルホリンであるか;または
分子量750から2,500g/molのポリカプロラクトンα-セチルオキシ、-ω-ヒドロキシである。